(57)【要約】      （修正有）【課題】テナーサキソフォンの音色を音に含まれる倍音成分を調整して、高音部の高い音圧が出せるテナーサキソフォンを提供する。【解決手段】共鳴管は第１の共鳴管３、第２の共鳴管５、第３の共鳴管７、第４の共鳴管９に分割して作成され、前記第２の共鳴管５と前記第３の共鳴管７の結合に半田による溶接を行い、前記第１から前記第４までの共鳴管は機構的に結合され全体として一つの前記共鳴管を構成しており、第１から第６までのそれぞれの穴と前記第１から前記第６までのそれぞれの蓋は指を離した時に自動的に開いた状態になるように開閉機構が作動するように設定されており、かつ前記第１から前記第６までのそれぞれの蓋が開いたときに前記第１から前記第６までのそれぞれの穴を含む平面内の穴の稜線から垂直に伸ばした前記第１から前記第６までのそれぞれの蓋までの距離の最大値が９ｍｍ以上あることを特徴とする。【選択図】図１
2007316562.tif 000002
【特許請求の範囲】
【請求項１】
金属または硬質ゴムで出来た吹き口（１）に葦またはプラスティックによって形成された振動板（２）を設け前記吹き口（１）と前記振動板（２）は人が口に加え吹く息により前記振動板（２）を振動させることができるようになっている。また前記振動板（２）が発生した前期振動を音波として共鳴させる真鍮または銀または銅または青銅などの金属で出来た全長１３００ｍｍ以上１５００ｍｍ以下の共鳴管を設け、前記共鳴管の有効的な共鳴する長さを変化させることによって共鳴振動数を変化させることが出来る２２個ないし２３個の複数の円形の穴を設け、前期複数の円形の穴を個別に開閉する２２個ないし２３個の複数の円形の蓋を設け、前記複数の蓋のいくつかを選択的に開閉させる開閉機構を設け、前記開閉機構により音程を変えて音楽演奏ができる楽器装置（所謂テナーサキソフォン）において、前記共鳴管は第１の共鳴管（３）、第２の共鳴管（５）、第３の共鳴管（７）、第４の共鳴管（９）に分割して作成され、前記第１から前記第４までの共鳴管は機構的に結合され全体として一つの前記共鳴管を構成しており、前記第２の共鳴管（５）と前記第３の共鳴管（７）の結合に半田による溶接を行い、前記第一の共鳴管（３）に設けられたもっもと小さい穴の径を直径２．４ｍｍ以上とし、前記第２の共鳴管（５）に設けられたもっとも小さい穴の径を直径３．４ｍｍ以上とし、前記第４の共鳴管（９）に設けられた第１の穴と前記第１の穴をふさぐ第１の蓋および第２の穴と前記第２の穴をふさぐ第２の蓋、また前記第３の共鳴管（７）に設けられた第３の穴と前記第３の穴をふさぐ第３の蓋、また前記第２の共鳴管（５）に設けられた第４の穴と前記第４の穴をふさぐ第４の蓋および第５の穴と前記第５の穴をふさぐ第５の蓋および第６の穴と前記第６の穴をふさぐ第６の蓋を設け、少なくともこれら前記第１から前記第６までのそれぞれの穴と前記第１から前記第６までのそれぞれの蓋は指を離なした時に自動的に開いた状態になるように前記開閉機構が作動するように設定されており、かつ前記第１から前記第６までのそれぞれの蓋が開いたときに前記第１から前記第６までのそれぞれの穴を含む平面内の穴の稜線から垂直に伸ばした前記第１から前記第６までのそれぞれの蓋までの距離の最大値（２７）が９ｍｍ以上あることを特徴とする音楽演奏用の楽器装置。
【請求項２】
少なくとも前記共鳴管の全体または一部にラッカー塗装後高熱の加熱装置内に前記ラッカー塗装した部分を保管してラッカーを固着する所謂焼付けラッカー塗装を施こした請求項１の楽器装置
【請求項３】
少なくとも前記共鳴管の全体または一部を塗装またはメッキをしない請求項１の楽器装置
【請求項４】
少なくとも前記共鳴管の全体または一部に銀メッキを施した請求項１の楽器装置
【請求項５】
少なくとも前記共鳴管の全体または一部に金メッキをした請求項１の楽器装置
【請求項６】
少なくとも前記共鳴管の全体または一部にラッカー塗装後、室温中に前記ラッカー塗装した部分を保管してラッカーを固着する所謂自然乾燥によるラッカー塗装を施した請求項１の楽器装置
【発明の詳細な説明】
【技術分野】
【０００１】  音楽演奏における楽器装置、所謂サキソフォンは１８４６年にアドルフ・サックスにより発明され、今日の音楽、吹奏楽、クラシック、ジャズ、フュージョン、ポピュラーミュージックなどの分野で多く使用されている、テナーサキソフォンの音質を改善する技術に関するものである。
【背景技術】
【０００２】  当初サキソフォンは吹奏楽やブラスバンド用として開発・研究されてきたが、その後ジャズ、フュージョン、ポピュラーミュージックなどの独奏演奏にも利用されて来た。本発明はジャズ、フュージョン、ポピュラーミュージックなどには心地よい音色を得るための倍音、音の輪郭、高音部の高い音圧などの表現力が要望されて来ていたが現在それらを十分に満足できるようなテナーサキソフォンを製造することができなく、生産後数十年経過し、その間に十分演奏され経年により金属組成等の変化をともなったサキソフォン（所謂ビンテージ品）で上記の要求をある程度満たすしか方法がなかった。
【発明の開示】
【発明が解決しようとする課題】
【０００３】  年々増加してくるサキソフォン奏者にとって過去に生産せれたサキソフォンは数量が限定され入手が難しくまた経年時間が経っているため機構部分の消耗もあり、楽器としての修理が必要であり、なおかつ高価であるという欠点があった。また従来サキソフォンの製造直後から音程の周波数の整数倍の倍音成分を多く含み、心地よい音色、高音部の高い音圧などで表現力を出すことは出来ないという欠点があった。本発明は以上の欠点をなくすためのものである。
【課題を解決するための手段】
【０００４】  金属または硬質ゴムで出来た吹き口（１）に葦またはプラスティックによって形成された振動板（２）を設け前記吹き口（１）と前記振動板（２）は人が口に加え吹く息により前記振動板（２）を振動させることができるようになっている。また前記振動板（２）が発生した前期振動を音波として共鳴させる真鍮または銀または銅または青銅などの金属で出来た全長１３００ｍｍ以上１５００ｍｍ以下の共鳴管を設け、前記共鳴管の有効的な共鳴する長さを変化させることによって共鳴振動数を変化させることが出来る２２個ないし２３個の複数の円形の穴を設け、前期複数の円形の穴を個別に開閉する２２個ないし２３個の複数の円形の蓋を設け、前記複数の蓋のいくつかを選択的に開閉させる開閉機構を設け、前記開閉機構により音程を変えて音楽演奏ができる楽器装置（所謂テナーサキソフォン）において、前記共鳴管は第１の共鳴管（３）、第２の共鳴管（５）、第３の共鳴管（７）、第４の共鳴管（９）に分割して作成され、前記第１から前記第４までの共鳴管は機構的に結合され全体として一つの前記共鳴管を構成しており、前記第２の共鳴管（５）と前記第３の共鳴管（７）の結合に半田による溶接を行い、前記第一の共鳴管（３）に設けられたもっもと小さい穴の径を直径２．４ｍｍ以上とし、前記第２の共鳴管（５）に設けられたもっとも小さい穴の径を直径３．４ｍｍ以上とし、前記第４の共鳴管（９）に設けられた第１の穴と前記第１の穴をふさぐ第１の蓋および第２の穴と前記第２の穴をふさぐ第２の蓋、また前記第３の共鳴管（７）に設けられた第３の穴と前記第３の穴をふさぐ第３の蓋、また前記第２の共鳴管（５）に設けられた第４の穴と前記第４の穴をふさぐ第４の蓋および第５の穴と前記第５の穴をふさぐ第５の蓋および第６の穴と前記第６の穴をふさぐ第６の蓋を設け、少なくともこれら前記第１から前記第６までのそれぞれの穴と前記第１から前記第６までのそれぞれの蓋は指を離なした時に自動的に開いた状態になるように前記開閉機構が作動するように設定されており、かつ前記第１から前記第６までのそれぞれの蓋が開いたときに前記第１から前記第６までのそれぞれの穴を含む平面内の穴の稜線から垂直に伸ばした前記第１から前記第６までのそれぞれの蓋までの距離の最大値（２７）が９ｍｍ以上あることを特徴とする手段。
本発明は以上の構成によりサキソフォンの製造直後から音程の周波数の整数倍の倍音成分を増加させ、心地良い音色、高音部の高い音圧などによる表現力を出すことが可能となった。
【発明を実施するための最良の形態】
【０００５】  前記第１の穴から前記第６の穴また前記第１の蓋から前記第６の蓋までの一例として前記第５の穴（１５）と前記第５の穴をふさぐ前記第５の蓋（１０）とのそれぞれの位置関係は図２に示されており、ボタンを指で押すと前記第５の蓋（１０）が閉まり、指を離すとバネ（１２）の反発力で前記第５の蓋（１０）が開く。このとき前記第５の蓋（１０）に取り付けられた前記第５の蓋（１０）の回動範囲を決定する部材（１４）が取り付けられており、また前記第５の蓋（１０）は軸（１９）を中心に回動する。前記部材（１４）と前記第５の蓋（１０）との相対位置関係、および部材（１４）と第２の共鳴管（５）との相対位置関係により、指を離したときに前記第５の蓋（１０）が前記第５の穴（１５）に対して開く角度が一定になる。前記角度を大きくすればするほど前記第５の穴を含む平面内の前記第５の穴（１５）の稜線から垂直に伸ばした前記第５の蓋（１０）までの距離の最大値（２７）が高くなる。またこのとき前記共鳴管内に発生する音波の一部である第１の音波（２８）はこの前記第５の蓋（１０）と前記第５の穴（１５）の間から外部の空間に伝わり前記角度が大きい方が前記第１の音波（２８）を伝達する等価な面積が増加し、より効率よく前記第１の音波（２８）を前記空間に伝えることができる。具体的には、前記第５の穴（１５）を含む平面内の穴の稜線から垂直に伸ばした前記第５の蓋（１０）までの距離が最大で９ｍｍ以上にした場合に効率よく前記第１の音波（２８）を伝える効果が著しい。この関係は前記第１の穴から前記第６の穴までの穴と前記第１の蓋から前記第６の蓋までの蓋とのそれぞれの相対位置関係においても同じ効果があることは言うまでもない。前記効果により音程の周波数の整数倍の倍音成分を増加させることが出来る。また一方では、前記効果により前記共鳴管の共鳴状態で共振器としての効率が高くなり、それにより誘発された前記第２の共鳴管の金属振動も大きくなり、前記振動による第２の音波（２９）も増加する。ところが前記第２の音波（２９）が耳触りになることがある。そこで前記第２の共鳴管（５）と前記第３の共鳴管（７）を半田（２６）により溶接することによって等価的に前記第２の共鳴管（５）の金属振動の固有振動数を下げ、金属振動による前記第２の音波（２９）を適当に抑制し適当な音質を得ることが出来る。また高い音程の演奏時には前記第２の共鳴管に設けられた穴の中でもっとも小さい穴である第７の穴または前記第１の共鳴管に設けられた小さい穴である第８の穴を適当な位置に配置し前記第７の穴を塞ぐ第７の蓋または前記第８の穴を塞ぐ第８の蓋を演奏する音程により選択的にどちらかを開くことによって２倍の共鳴振動数を得ることがが出来る。これにより１オクターブ高い音程が得られることは良く知られているが、前記第７の穴と前記第８の穴の直径を大きくすることによって前記２倍の共鳴振動時の音圧が高くなる。前記第８の穴の直径は２．４ｍｍ以上で顕著に音圧があがり、前記第８の穴の直径は３．４ｍｍ以上になると顕著に音圧が上がる。また追記として、前記第７の蓋と前記第８の蓋は同時に開くことはなく、音程によって選択的に開くように前記開閉機構が構成されていることは良く���られていることである。
【発明の効果】
【０００６】  本発明のサキソフォンは製造直後から心地良い音色を得るための倍音、音の輪郭、高音部の高い音圧などの表現力を出すことができ、それらをジャズ、フュージョン、ポピュラーミュージックのサキソフォン奏者に安いコストの楽器を提供することが出来るようになる。また、従来のような古い楽器ではないので機構部の信頼性をも兼ね備えることが可能になる。
【図面の簡単な説明】
【０００７】
【図１】本発明の斜視図
【図２】本発明の部分斜視図
【図３】本発明の部分斜視図
【図４】本発明の部分側面図
【符号の説明】
【０００８】１吹く口（マウスピース）
２振動板（リード）
３第１の共鳴管
４第１の共鳴管と第２の共鳴管との接合部
５第２の共鳴管
６第２の共鳴管と第３の共鳴管との接合部
７第３の共鳴管
８第３の共鳴管と第４の共鳴管との接合部
９第４の共鳴管
１０第５の穴を塞ぐ第５の蓋
１１第１の軸受け部
１２バネ
１３コルクなどの緩衝材
１４蓋の可動範囲を決定する部材
１５第５の穴
１６反射板
１７皮
１８第２の軸受け部
１９軸
２０軸を通すパイプ部
２１バネをかける部分
２２アーム部
２３ボタン
２４フェルト
２５厚紙
２６半田溶着部
２７穴を含む平面内の穴の稜線から垂直に伸ばした蓋までの距離
【図１】
2007316562.tif 000003
【図２】
2007316562.tif 000004
【図３】
2007316562.tif 000005
【図４】
2007316562.tif 000006